(57)【特許請求の範囲】
【請求項１】
空気の吸込口と吹出口を有する本体と、この吸込口と吹出口を連通する風路内に、送風手段と、吸液性フィルタと、この吸液性フィルタを保持する貯液トレイを備える加湿装置であって、前記送風手段が、吸込口側に設けられたベルマウス形状のオリフィスと、回転方向に対して後退する羽根と前記オリフィスと軸方向で重なるよう形成されたシュラウドとからなる羽根車と、前記オリフィス側に設けられ、前記羽根車を駆動するモータからなり、前記モータの周囲に前記吸液性フィルタと前記貯液トレイと前記吸液性フィルタに液体を供給するタンクを組みにして配置することを特徴とする加湿装置。
【請求項２】
空気の吸込口と吹出口を有する本体と、この吸込口と吹出口を連通する風路内に、送風手段と、吸液性フィルタと、この吸液性フィルタを保持する貯液トレイと、空気浄化フィルタを備える加湿機能付空気清浄装置であって、送風手段が、吸込口側に設けられたベルマウス形状のオリフィスと、回転方向に対して後退する羽根と前記オリフィスと軸方向で重なるよう形成されたシュラウドとからなる羽根車と、前記オリフィス側に設けられ、前記羽根車を駆動するモータからなり、前記モータの周囲に前記吸液性フィルタと前記貯液トレイと前記吸液性フィルタに液体を供給するタンクを組みにして配置することを特徴とする加湿機能付空気清浄装置。
【発明の詳細な説明】
【技術分野】
【０００１】
本発明は、乾燥した室内を加湿するための加湿装置および加湿機能付空気清浄装置に関するものである。
【背景技術】
【０００２】
従来、この種の加湿装置は、気化フィルタに温風を接触させて加湿を行うものが知られている（例えば、特許文献１参照）。
【０００３】
以下、その加湿装置について図８を参照しながら説明する。
【０００４】
図８に示すように、加湿装置は、本体１０１と、ファン１０２とモータ１０３からなる送風手段と、風路中に設けたヒータ１０４と、貯液トレイ１０５と、前記貯液トレイ１０５に下部を浸した気化フィルタ１０６とを備えている。送風手段によって吸込口１０７から吸い込んだ空気を、ヒータ１０４を通過させて加熱した後、貯液トレイ１０５の水を吸上げ湿潤した気化フィルタ１０６に通過させ、吹出口１０８から加湿空気を得るものである。
【０００５】
また、この種の空気清浄装置には、空気清浄フィルタと遠心ファンとが前方から見て平面的に配置されたものが知られている（例えば、特許文献２参照）。
【０００６】
以下、その空気清浄装置について図９を参照しながら説明する。
【０００７】
図９に示すように、空気清浄装置は、本体２０１と、本体２０１内の略中央部に配置された遠心ファン２０２と、本体２０１内の遠心ファン２０２の径方向吹出側に配置された空気清浄フィルタ２０３と、室内空気を吸い込むための室内空気の吸込口２０４と、清浄化された空気を室内へ吹き出すための吹出口２０５とを備えている。本体２０１に吸い込まれた室内空気が、遠心ファン２０２を通過した後に空気清浄フィルタ２０３を通過し、清浄化された空気が吹出口２０５から室内に排出される。
【先行技術文献】
【特許文献】
【０００８】
【特許文献１】特開２００２−６１９０１号公報
【特許文献２】特開２００８−１４２６６５号公報
【発明の概要】
【発明が解決しようとする課題】
【０００９】
このような従来の加湿装置または空気清浄装置においては、装置をコンパクトにするためにモータを羽根車の主板側に埋め込む方式が用いられるが、モータを羽根車の主板側に埋め込む場合には、羽根車の送風性能が低下したり、騒音が上昇したりするといった課題があった。また、羽根車の送風性能を最大限発揮するために、モータを羽根車の吸込み側であるオリフィス側に配置する場合や、モータを羽根車の主板側に、主板を平面に保ったまま埋め込まないよう配置する場合には、モータを羽根車の外部に配置する必要があるため装置が大型化しやすいという課題があった。
【００１０】
そこで本発明は、上記従来の課題を解決するものであり、羽根車の性能を保ちつつ、モータ周辺の空間を有効活用することができる、コンパクトな加湿装置および加湿機能付空気清浄装置を提供することを目的とする。
【課題を解決するための手段】
【００１１】
そして、この目的を達成するために、本発明は、空気の吸込口と吹出口を有する本体と、この吸込口と吹出口を連通する風路内に、送風手段と、吸液性フィルタと、この吸液性フィルタを保持する貯液トレイを備える加湿装置であって、前記送風手段が、吸込口側に設けられたベルマウス形状のオリフィスと、回転方向に対して後退する羽根と前記オリフィスと軸方向で重なるよう形成されたシュラウドとからなる羽根車と、前記オリフィス側に設けられ、前記羽根車を駆動するモータからなり、前記モータの周囲に前記吸液性フィルタと前記貯液トレイと前記吸液性フィルタに液体を供給するタンクを組みにして配置することを特徴とするものであり、これにより所期の目的を達成するものである。
【発明の効果】
【００１２】
本発明によれば、空気の吸込口と吹出口を有する本体と、この吸込口と吹出口を連通する風路内に、送風手段と、吸液性フィルタと、この吸液性フィルタを保持する貯液トレイを備える加湿装置であって、前記送風手段が、吸込口側に設けられたベルマウス形状のオリフィスと、回転方向に対して後退する羽根と前記オリフィスと軸方向で重なるよう形成されたシュラウドとからなる羽根車と、前記オリフィス側に設けられ、前記羽根車を駆動するモータからなり、前記モータの周囲に前記吸液性フィルタと前記貯液トレイと前記吸液性フィルタに液体を供給するタンクを組みにして配置することにより、羽根車の性能を保ちつつ、モータ周辺の空間を有効活用することができる、コンパクトな加湿装置および加湿機能付空気清浄装置を提供することができる。
【図面の簡単な説明】
【００１３】
【図１】本発明の実施の形態１の加湿装置を示す断面概略図
【図２】同加湿装置の別の断面概略図
【図３】（ａ）本発明の実施の形態２の吸液性フィルタを示す概略斜視図、（ｂ）同別の吸液性フィルタを示す概略斜視図
【図４】（ａ）同平板状の吸液性フィルタの概略図、（ｂ）同別の形状の吸液性フィルタの概略図
【図５】本発明の実施の形態３の加湿装置を示す概略断面図
【図６】本発明の実施の形態４の加湿機能付空気清浄装置を示す概略断面図
【図７】同加湿機能付空気清浄装置の概略断面図
【図８】従来の加湿装置を示す概略断面図
【図９】従来の空気清浄機を示す概略断面図
【発明を実施するための形態】
【００１４】
本発明の請求項１記載の加湿装置は、空気の吸込口と吹出口を有する本体と、この吸込口と吹出口を連通する風路内に、送風手段と、吸液性フィルタと、この吸液性フィルタを保持する貯液トレイを備える加湿装置であって、前記送風手段が、吸込口側に設けられたベルマウス形状のオリフィスと、回転方向に対して後退する羽根と前記オリフィスと軸方向で重なるよう形成されたシュラウドとからなる羽根車と、前記オリフィス側に設けられ、前記羽根車を駆動するモータからなり、前記モータの周囲に前記吸液性フィルタと前記貯液トレイと前記吸液性フィルタに液体を供給するタンクを組みにして配置するものである。これにより、羽根車の性能を保ちつつ、モータ周辺の空間を有効活用することができ、省エネでコンパクトな加湿装置を得ることができる。
【００１５】
また、本発明の請求項２記載の加湿機能付空気清浄装置は、空気の吸込口と吹出口を有する本体と、この吸込口と吹出口を連通する風路内に、送風手段と、吸液性フィルタと、この吸液性フィルタを保持する貯液トレイと、空気浄化フィルタを備える加湿機能付空気清浄装置であって、送風手段が、吸込口側に設けられたベルマウス形状のオリフィスと、回転方向に対して後退する羽根と前記オリフィスと軸方向で重なるよう形成されたシュラウドとからなる羽根車と、前記オリフィス側に設けられ、前記羽根車を駆動するモータからなり、前記モータの周囲に前記吸液性フィルタと前記貯液トレイと前記吸液性フィルタに液体を供給するタンクを組みにして配置するものである。これにより、羽根車の性能を保ちつつ、モータ周辺の空間を有効活用することができ、コンパクトな構成で室内の加湿と空気浄化とを動じに満たす加湿機能付空気清浄装置を得ることができる。
【００１６】
以下、本発明の実施の形態について図面を参照しながら説明する。
【００１７】
（実施の形態１）
図１および図２に示すように、加湿装置は、空気の吸込口１１と吹出口１２を有する本体１３と、この吸込口１１と吹出口１２を連通する風路内に、吸込口１１側に設けられたベルマウス形状のオリフィス１４と、回転方向に対して後退する羽根１５とオリフィス１４と軸方向で重なるよう形成されたシュラウド１６とからなる羽根車１７と、前記オリフィス１４側に設けられ、羽根車１７を駆動するモータ１８からなる送風手段と、吸液性フィルタ１９と、吸液性フィルタ１９を保持する貯液トレイ２０を備える加湿装置であって、吸液性フィルタ１９および貯液トレイ２０をモータ１８の周囲に配置したものである。
【００１８】
羽根車１７としては、ターボファンを用い、複数の吸液性フィルタ１９および貯液トレイ２０を、空気の通過方向に対し並列に配置している。また、モータ１８の周囲には樹脂製のカバー２１を設け、吸液性フィルタ１９への液体の供給手段として、タンク２２を併設してなる。羽根車１７としては、シロッコファンまたはターボファンを用いるのが良く、特に吸液性フィルタ１９の圧力損失が大きい場合にはターボファンが有効である。ターボファンは理論的な効率が高いため、消費電力を抑えることに有効である。
【００１９】
このような構成によれば、羽根車１７の性能を保ちつつ、モータ１８周辺の空間を有効活用することができるとともに、シュラウド１６をオリフィス１４と軸方向で重なるよう形成したことによりモータ１８の回転軸方向の寸法を小さくでき、コンパクトな加湿装置を得ることができる。
【００２０】
また、吸液性フィルタ１９と貯液トレイ２０を複数設けたことにより、いくつかの吸液性フィルタ１９へのみ水供給をすることもできるために、加湿量を容易に制御することができる。また、吸液性フィルタ１９への供給液を、必要に応じて水以外の液体とすることができる。水以外の液体としては、ガス吸着性液体、除菌性液体、消臭性液体、害虫忌避剤、芳香性液体などが挙げられる。
【００２１】
また、複数の吸液性フィルタ１９および貯液トレイ２０を、空気の通過方向に対し並列に配置することにより、吸液性フィルタ１９の総受風面積を増大し、空気が通過する際の面風速を低下させることができる。すなわち、空気と吸液性フィルタ１９との接触時間を長くすることができるために、高い加湿性能が得られる。
【００２２】
また、本体１３の側面に着脱口を備え、吸液性フィルタ１９および貯液トレイ２０を着脱可能とすれば、吸液性フィルタ１９や貯液トレイ２０を取り外して交換したり清掃したりすることができる。
【００２３】
また、モータ１８の周囲にカバー２１を設けることにより、装置が傾いたり衝撃を受けたりした際にも、吸液性フィルタ１９や貯液トレイ２０からモータ１８に水が浸入することを防止できる。カバー２１の材質としては、たとえば、耐水性と耐熱性を備えるＰＰ樹脂などを用いるのが良い。
【００２４】
また、少なくとも一つの吸液性フィルタ１９に、酸性またはアルカリ性ガス吸着液を供給すれば、空気中にたとえば、酸性ガスとしてのＮＯ２、ＳＯ２、ＨＣＬなど、またはアルカリ性ガスとしてのアンモニアなどが含まれる場合において、それらを容易に除去することができる。
【００２５】
また、少なくとも一つの吸液性フィルタ１９に、除菌性液体または消臭性液体を供給すれば、空気中に浮遊する菌類やにおいを除去することができる。除菌性液体としては、たとえばエタノール、次亜塩素酸ナトリウム溶液などが挙げられる。
【００２６】
また、吸液性フィルタ１９に液体を供給するためのタンク２２を備えるものであれば、加湿装置の設置場所に関わらず連続的に加湿運転することができる。水以外の液体を吸液性フィルタ１９に供給する場合には、タンク２２に貯留することにより、内容物の変質や劣化を防ぐことができる。
【００２７】
また、複数の吸液性フィルタ１９と貯液トレイ２０を設置する際には、同数のタンク２２を設けても良いし、または同じ液体を供給するのであれば、複数の貯液トレイ２０を連通させておけば、一つのタンクから複数の貯液トレイ２０に同じ液体を供給することが可能となる。
【００２８】
また、吸液性フィルタ１９に供給する液体量を、貯液トレイ２０内に配置した水位検知手段により制御すれば、吸液性フィルタ１９は所望の液量を保持することができ、安定的に加湿運転をすることができる。水位検知手段としては、フロートによる水位検知、タイマーによる水分減少量検知などがあげられる。水位を検知した後に、吸液性フィルタ１９を貯液トレイ２０から浮かせたり、タンク２２の栓を閉じたりすることによって、吸液性フィルタ１９への液体供給を停止する制御を設けても良い。
【００２９】
（実施の形態２）
図３に一例を示す吸液性フィルタはハニカム構造体である。
【００３０】
ハニカム構造体としては、（ａ）に示すような吸液能力の高いパルプによる抄紙やレーヨンやポリエステルの混合不織布などをコルゲート加工したものや、（ｂ）に示すようなポリエステルやアクリル、ナイロンなどの繊維からなる表裏面の開口を連結糸によって連結した立体編物などを用いるのが良い。これにより、吸液性フィルタ１９における圧力損失を小さくすることができ、十分な空気の流路を確保できる。
【００３１】
吸液性フィルタ１９の形状は、空気の通過を著しく妨げるものでなければとくに限定されるものではない。図４に一例を示すように、たとえば、（ａ）平板状の吸液性フィルタを直立あるいは斜立して配置したり、（ｂ）Ｕ字状やＪ字状、Ｗ字状などの吸液性フィルタを用いて空気の通過できる面積を拡大するように配置したりしても良い。
【００３２】
（実施の形態３）
図５に示す加湿装置は、貯液トレイ２０に第二のタンク２３を収納できるものである。
【００３３】
これにより、装置の容積を増やすことなくタンク容量を増大することができるために、コンパクトな装置で加湿運転を長時間連続的に行うことができる。複数のタンクに異なる液体を供給すれば、吸液性フィルタが異なる機能を発揮する。たとえば、一つのタンクには水を、もう一つのタンクにはエタノールを投入すれば、室内の加湿と除菌を同時に行うことができる。また、タンクは必ずしも二個とする必要はなく、たとえば、図５に示すように、貯液トレイ２０に収納された第二のタンク２３がタンク２２とＬ字型に連通しているものでも良い。
【００３４】
（実施の形態４）
図６および図７に示す加湿機能付空気清浄装置は、羽根１５とモータ１８からなる送風手段と、吸液性フィルタ１９と、前記吸液性フィルタ１９を保持する貯液トレイ２０と、空気浄化フィルタとしての集塵フィルタ２４および脱臭フィルタ２５とを備えた加湿機能付空気清浄装置であって、前記吸液性フィルタ１９および前記貯液トレイ２０を複数設けたものである。
【００３５】
これにより、羽根車１７の性能を保ちつつ、モータ１８周辺の空間を有効活用することができ、コンパクトな構成で室内の加湿と空気浄化とを同時に満たす加湿機能付空気清浄装置を得ることができる。
【００３６】
また、空気浄化フィルタを吸液性フィルタ１９の上流側に配置しても良い。これにより、空気中の粉塵などは吸液性フィルタ１９まで到達しないために、吸液性フィルタ１９における汚れの詰まりなどを抑制することができ、長期間にわたって装置を清潔に保つことができる。空気浄化フィルタに汚れがトラップされ保持された場合には、空気浄化フィルタが詰まることがあるので、空気浄化フィルタは容易に交換できるもの、または清掃により再生できるものであることが好ましい。
【００３７】
また、空気浄化フィルタが、集塵フィルタ２４または／および脱臭フィルタ２５を含むことにより、空気中の細かな粉塵やにおいの元になるガス成分を除去することができる。集塵フィルタ２４としては、たとえば、ガラスろ材や、不織布、静電ろ材などを用いることができる。また、脱臭フィルタ２５としては、たとえば、活性炭やゼオライト、シリカゲルなどをフィルタ化したろ材を用いることができる。
【００３８】
また、図７に示すように、吸液性フィルタ１９および貯液トレイ２０と脱臭フィルタ２５とを、空気の通過方向に対し並列に配置することを特長とするものであっても良い。これにより、たとえば、吸液性フィルタ１９および貯液トレイ２０をモータ１８の下部、脱臭フィルタ２５をモータ１８の左右に配置するなどすれば、モータ１８周辺の空間をさらに有効活用することができ、コンパクトな構成で室内の加湿と空気浄化とを同時に満たすことができる。
【産業上の利用可能性】
【００３９】
本発明にかかる加湿装置および加湿機能付空気清浄装置はモータ周辺の空間を有効活用することができるものであるので、加湿装置、加湿機能付空気清浄装置、空気調和装置等として有用である。
【符号の説明】
【００４０】
１１    吸込口
１２    吹出口
１３    本体
１４    オリフィス
１５    羽根
１６    シュラウド
１７    羽根車
１８    モータ
１９    吸液性フィルタ
２０    貯液トレイ
２１    カバー
２２    タンク
２３    第二のタンク
２４    集塵フィルタ
２５    脱臭フィルタ
１０１  本体
１０２  ファン
１０３  モータ
１０４  ヒータ
１０５  貯液トレイ
１０６  気化フィルタ
１０７  吸込口
１０８  吹出口
２０１  本体
２０２  遠心ファン
２０３  空気清浄フィルタ
２０４  吸込口
２０５  吹出口
【図１】
0005556263.tif 000002
【図２】
0005556263.tif 000003
【図３】
0005556263.tif 000004
【図４】
0005556263.tif 000005
【図５】
0005556263.tif 000006
【図６】
0005556263.tif 000007
【図７】
0005556263.tif 000008
【図８】
0005556263.tif 000009
【図９】
0005556263.tif 000010